【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
記録媒体上にドットを形成する部材であるドット形成部が副走査方向に複数個だけ配列された記録ヘッド、前記記録ヘッドを前記記録媒体に対して前記副走査方向に交差する方向である主走査方向に相対的に移動させる主走査手段、及び、前記記録ヘッドを前記記録媒体に対して副走査方向に相対的に移動させる副走査手段と、を備え、
前記主走査手段及び前記副走査手段を介して前記記録ヘッドを前記記録媒体に対して相対的に移動させて、前記記録媒体上に予め設定された画像である対象画像を形成する画像形成装置であって、
予め設定された第１解像度の対象画像を形成するべく、前記記録ヘッド、主走査手段及び副走査手段に対して指示を行う第１指示手段と、
前記記録媒体上の前記対象画像が形成される領域を除く領域に、前記第１解像度とは相違し、かつ、主走査方向及び副走査方向の解像度の内、少なくとも一方の解像度が前記第１解像度より低く予め設定された第２解像度のテストパターンを形成するべく、前記記録ヘッド、主走査手段及び副走査手段に対して指示を行う第２指示手段と、を備える、画像形成装置。
【請求項２】
前記第１解像度は、インターレース方式で画像を形成可能な解像度であり、
前記第２解像度は、インターレース方式ではない通常の方式で画像を形成可能な解像度である、請求項１に記載の画像形成装置。
【請求項３】
前記第２解像度のテストパターンに対応する該第２解像度の画像情報である第１パターン情報を予め格納する第１パターン記憶手段と、
前記第１パターン記憶手段から第１パターン情報を読み出し、読み出された第１パターン情報に基づいて、前記第２解像度のテストパターンに対応する前記第１解像度の画像情報である第２パターン情報を生成するパターン生成手段と、を備え、
前記第２指示手段は、前記パターン生成手段によって生成された第２パターン情報に基づいて、前記第２解像度のテストパターンを形成する、請求項１に記載の画像形成装置。
【請求項４】
前記パターン生成手段は、前記第１解像度が前記第２解像度より高い場合には、前記第１パターン情報に、前記第１解像度に対応する画素数から前記第２解像度に対応する画素数を引いた差の個数だけドットが形成されない画素に対応する画像情報を付加することに
よって、前記第２パターン情報を生成する、請求項３に記載の画像形成装置。
【請求項５】
前記第２解像度のテストパターンに対応する該第２解像度の画像情報である第１パターン情報に基づいて生成された、該第２解像度のテストパターンに対応する前記第１解像度の画像情報である第２パターン情報を予め格納する第２パターン記憶手段を備え、
前記第２指示手段は、前記第２パターン記憶手段に格納された第２パターン情報を読み出し、読み出された第２パターン情報に基づいて、前記第２解像度のテストパターンを形成する、請求項１に記載の画像形成装置。
【請求項６】
外部からの操作入力を受け付けて、受け付けられた操作入力に基づいて、予め設定された複数の解像度の中から１つの解像度を、前記第１解像度として設定する解像度設定手段を備え、
前記第２パターン記憶手段は、前記複数の解像度に含まれる各解像度と対応付けて、前記第１パターン情報に基づいて生成され、前記第２解像度のテストパターンに対応する前記各解像度の画像情報を予め格納し、
前記第２指示手段は、前記第１解像度として設定された解像度に対応する画像情報を前記第２パターン記憶手段から読み出し、読み出された画像情報に基づいて、前記第２解像度のテストパターンを形成する、請求項５に記載の画像形成装置。
【請求項７】
前記第２解像度のテストパターンに対応する該第２解像度の画像情報である第１パターン情報に基づいて生成された、該第２解像度のテストパターンに対応する前記第１解像度の画像情報である第２パターン情報を予め格納する第２パターン記憶手段と、
前記第１解像度の対象画像に対応する画像情報と、前記第２パターン情報とを合成して１つの画像情報を生成する画像合成手段と、を備え、
前記第１指示手段及び第２指示手段は、前記画像合成手段によって生成された画像情報に基づいて、それぞれ、前記第１解像度の対象画像及び第２解像度のテストパターンを形成する、請求項１に記載の画像形成装置。
【請求項８】
前記第２解像度のテストパターンに対応する該第２解像度の画像情報である第１パターン情報に基づいて生成された、該第２解像度のテストパターンに対応する前記第１解像度の画像情報である第２パターン情報と、前記第１解像度の対象画像に対応する画像情報と、を合成して生成された１つの画像情報である合成画像情報を予め格納する合成画像記憶手段を備え、
前記第１指示手段及び第２指示手段は、前記合成画像記憶手段に格納された画像情報を読み出し、読み出された画像情報に基づいて、それぞれ、前記第１解像度の対象画像及び第２解像度のテストパターンを形成する、請求項１に記載の画像形成装置。
【請求項９】
前記テストパターンは、前記記録ヘッドにおいて副走査方向の配列された複数のドット形成部の内、予め設定された少なくとも１つのドット形成部である特定ドット形成部によって生成されたテストパターンであると判別可能に構成されている、請求項１に記載の画像形成装置。
【請求項１０】
前記特定ドット形成部は、前記記録ヘッドにおいて副走査方向の両端に配列されたドット形成部の内、少なくとも一方のドット形成部である、請求項９に記載の画像形成装置。
【請求項１１】
前記テストパターンは、主走査方向及び副走査方向を各辺の方向とする略矩形のパターンであって、前記特定ドット形成部によって生成されるテストパターンを、該テストパターンの外縁を構成する矩形の前記副走査方向の辺から突出させて構成されている、請求項９に記載の画像形成装置。
【請求項１２】
前記第２指示手段は、前記記録媒体上の前記対象画像が形成される領域に対して、主走査方向に予め設定された距離だけ離間した位置に、前記テストパターンを形成する、請求項１に記載の画像形成装置。
【請求項１３】
記録媒体上にドットを形成する部材であるドット形成部が副走査方向に複数個だけ配列された記録ヘッド、前記記録ヘッドを前記記録媒体に対して前記副走査方向に交差する方向である主走査方向に相対的に移動させる主走査手段、及び、前記記録ヘッドを前記記録媒体に対して副走査方向に相対的に移動させる副走査手段と、を備え、
前記主走査手段及び前記副走査手段を介して前記記録ヘッドを前記記録媒体に対して相対的に移動させて、前記記録媒体上に予め設定された画像である対象画像を形成する画像形成装置の画像形成方法であって、
予め設定された第１解像度の対象画像を形成するべく、前記記録ヘッド、主走査手段及び副走査手段に対して指示を行う第１指示ステップと、
前記記録媒体上の前記対象画像が形成される領域を除く領域に、前記第１解像度とは相違し、かつ、主走査方向及び副走査方向の解像度の内、少なくとも一方の解像度が前記第１解像度より低く予め設定された第２解像度のテストパターンを形成するべく、前記記録ヘッド、主走査手段及び副走査手段に対して指示を行う第２指示ステップと、を実行する、画像形成方法。
【手続補正２】
【補正対象書類名】明細書
【補正対象項目名】０００７
【補正方法】変更
【補正の内容】
【０００７】
上記目的を達成するために、本発明は、以下の特徴を有している。第１の発明は、記録媒体上にドットを形成する部材であるドット形成部が副走査方向に複数個だけ配列された記録ヘッド、前記記録ヘッドを前記記録媒体に対して前記副走査方向に交差する方向である主走査方向に相対的に移動させる主走査手段、及び、前記記録ヘッドを前記記録媒体に対して副走査方向に相対的に移動させる副走査手段と、を備え、前記主走査手段及び前記副走査手段を介して前記記録ヘッドを前記記録媒体に対して相対的に移動させて、前記記録媒体上に予め設定された画像である対象画像を形成する画像形成装置であって、予め設定された第１解像度の対象画像を形成するべく、前記記録ヘッド、主走査手段及び副走査手段に対して指示を行う第１指示手段と、前記記録媒体上の前記対象画像が形成される領域を除く領域に、前記第１解像度とは相違し、かつ、主走査方向及び副走査方向の解像度の内、少なくとも一方の解像度が前記第１解像度より低く予め設定された第２解像度のテストパターンを形成するべく、前記記録ヘッド、主走査手段及び副走査手段に対して指示を行う第２指示手段と、を備える。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
第２の発明は、上記第１の発明において、前記第１解像度が、インターレース方式で画像を形成可能な解像度であり、前記第２解像度が、インターレース方式ではない通常の方式で画像を形成可能な解像度である。
【手続補正５】
【補正対象書類名】明細書
【補正対象項目名】００１０
【補正方法】変更
【補正の内容】
【００１０】
第３の発明は、上記第１の発明において、前記第２解像度のテストパターンに対応する該第２解像度の画像情報である第１パターン情報を予め格納する第１パターン記憶手段と、前記第１パターン記憶手段から第１パターン情報を読み出し、読み出された第１パターン情報に基づいて、前記第２解像度のテストパターンに対応する前記第１解像度の画像情報である第２パターン情報を生成するパターン生成手段と、を備え、前記第２指示手段が、前記パターン生成手段によって生成された第２パターン情報に基づいて、前記第２解像度のテストパターンを形成する。
【手続補正６】
【補正対象書類名】明細書
【補正対象項目名】００１１
【補正方法】変更
【補正の内容】
【００１１】
第４の発明は、上記第３の発明において、前記パターン生成手段が、前記第１解像度が前記第２解像度より高い場合には、前記第１パターン情報に、前記第１解像度に対応する画素数から前記第２解像度に対応する画素数を引いた差の個数だけドットが形成されない画素に対応する画像情報を付加することによって、前記第２パターン情報を生成する。
【手続補正７】
【補正対象書類名】明細書
【補正対象項目名】００１２
【補正方法】変更
【補正の内容】
【００１２】
第５の発明は、上記第１の発明において、前記第２解像度のテストパターンに対応する
該第２解像度の画像情報である第１パターン情報に基づいて生成された、該第２解像度のテストパターンに対応する前記第１解像度の画像情報である第２パターン情報を予め格納する第２パターン記憶手段を備え、前記第２指示手段が、前記第２パターン記憶手段に格納された第２パターン情報を読み出し、読み出された第２パターン情報に基づいて、前記第２解像度のテストパターンを形成する。
【手続補正８】
【補正対象書類名】明細書
【補正対象項目名】００１３
【補正方法】変更
【補正の内容】
【００１３】
第６の発明は、上記第５の発明において、外部からの操作入力を受け付けて、受け付けられた操作入力に基づいて、予め設定された複数の解像度の中から１つの解像度を、前記第１解像度として設定する解像度設定手段を備え、前記第２パターン記憶手段が、前記複数の解像度に含まれる各解像度と対応付けて、前記第１パターン情報に基づいて生成され、前記第２解像度のテストパターンに対応する前記各解像度の画像情報を予め格納し、前記第２指示手段が、前記第１解像度として設定された解像度に対応する画像情報を前記第２パターン記憶手段から読み出し、読み出された画像情報に基づいて、前記第２解像度のテストパターンを形成する。
【手続補正９】
【補正対象書類名】明細書
【補正対象項目名】００１４
【補正方法】変更
【補正の内容】
【００１４】
第７の発明は、上記第１の発明において、前記第２解像度のテストパターンに対応する該第２解像度の画像情報である第１パターン情報に基づいて生成された、該第２解像度のテストパターンに対応する前記第１解像度の画像情報である第２パターン情報を予め格納する第２パターン記憶手段と、前記第１解像度の対象画像に対応する画像情報と、前記第２パターン情報とを合成して１つの画像情報を生成する画像合成手段と、を備え、前記第１指示手段及び第２指示手段が、前記画像合成手段によって生成された画像情報に基づいて、それぞれ、前記第１解像度の対象画像及び第２解像度のテストパターンを形成する。
【手続補正１０】
【補正対象書類名】明細書
【補正対象項目名】００１５
【補正方法】変更
【補正の内容】
【００１５】
第８の発明は、上記第１の発明において、前記第２解像度のテストパターンに対応する該第２解像度の画像情報である第１パターン情報に基づいて生成された、該第２解像度のテストパターンに対応する前記第１解像度の画像情報である第２パターン情報と、前記第１解像度の対象画像に対応する画像情報と、を合成して生成された１つの画像情報である合成画像情報を予め格納する合成画像記憶手段を備え、前記第１指示手段及び第２指示手段が、前記合成画像記憶手段に格納された画像情報を読み出し、読み出された画像情報に基づいて、それぞれ、前記第１解像度の対象画像及び第２解像度のテストパターンを形成する。
【手続補正１１】
【補正対象書類名】明細書
【補正対象項目名】００１６
【補正方法】変更
【補正の内容】
【００１６】
第９の発明は、上記第１の発明において、前記テストパターンが、前記記録ヘッドにおいて副走査方向の配列された複数のドット形成部の内、予め設定された少なくとも１つのドット形成部である特定ドット形成部によって生成されたテストパターンであると判別可能に構成されている。
【手続補正１２】
【補正対象書類名】明細書
【補正対象項目名】００１７
【補正方法】変更
【補正の内容】
【００１７】
第１０の発明は、上記第９の発明において、前記特定ドット形成部が、前記記録ヘッドにおいて副走査方向の両端に配列されたドット形成部の内、少なくとも一方のドット形成部である。
【手続補正１３】
【補正対象書類名】明細書
【補正対象項目名】００１８
【補正方法】変更
【補正の内容】
【００１８】
第１１の発明は、上記第９の発明において、前記テストパターンが、主走査方向及び副走査方向を各辺の方向とする略矩形のパターンであって、前記特定ドット形成部によって生成されるテストパターンを、該テストパターンの外縁を構成する矩形の前記副走査方向の辺から突出させて構成されている。
【手続補正１４】
【補正対象書類名】明細書
【補正対象項目名】００１９
【補正方法】変更
【補正の内容】
【００１９】
第１２の発明は、上記第１の発明において、前記第２指示手段が、前記記録媒体上の前記対象画像が形成される領域に対して、主走査方向に予め設定された距離だけ離間した位置に、前記テストパターンを形成する。
【手続補正１５】
【補正対象書類名】明細書
【補正対象項目名】００２０
【補正方法】変更
【補正の内容】
【００２０】
第１３の発明は、記録媒体上にドットを形成する部材であるドット形成部が副走査方向に複数個だけ配列された記録ヘッド、前記記録ヘッドを前記記録媒体に対して前記副走査方向に交差する方向である主走査方向に相対的に移動させる主走査手段、及び、前記記録ヘッドを前記記録媒体に対して副走査方向に相対的に移動させる副走査手段と、を備え、前記主走査手段及び前記副走査手段を介して前記記録ヘッドを前記記録媒体に対して相対的に移動させて、前記記録媒体上に予め設定された画像である対象画像を形成する画像形成装置の画像形成方法であって、予め設定された第１解像度の対象画像を形成するべく、前記記録ヘッド、主走査手段及び副走査手段に対して指示を行う第１指示ステップと、前記記録媒体上の前記対象画像が形成される領域を除く領域に、前記第１解像度とは相違し、かつ、主走査方向及び副走査方向の解像度の内、少なくとも一方の解像度が前記第１解像度より低く予め設定された第２解像度のテストパターンを形成するべく、前記記録ヘッド、主走査手段及び副走査手段に対して指示を行う第２指示ステップと、を実行する。
【手続補正１６】
【補正対象書類名】明細書
【補正対象項目名】００２３
【補正方法】変更
【補正の内容】
【００２３】
また、上記第１の発明によれば、第２解像度が、主走査方向及び副走査方向の解像度の内、少なくとも一方の解像度が第１解像度より低く設定されているため、対象画像の解像度と比較して、テストパターンの主走査方向及び副走査方向の解像度の内、少なくとも一方の解像度を低く設定することを所望する場合に、適正なテストパターンを形成することができる。
【手続補正１７】
【補正対象書類名】明細書
【補正対象項目名】００２４
【補正方法】変更
【補正の内容】
【００２４】
上記第２の発明によれば、第１解像度が、インターレース方式で画像を形成可能な解像度であり、第２解像度が、インターレース方式ではない通常の方式で画像を形成可能な解像度であるため、対象画像がインターレース方式で形成される高解像度の画像であって、テストパターンが通常の方式で形成される低解像度の画像である場合に、適正なテストパターンを形成することができる。
【手続補正１８】
【補正対象書類名】明細書
【補正対象項目名】００２５
【補正方法】変更
【補正の内容】
【００２５】
上記第３の発明によれば、第１パターン記憶手段に、第２解像度のテストパターンに対応する第２解像度の画像情報である第１パターン情報が予め格納されており、第１パターン記憶手段から第１パターン情報が読み出され、読み出された第１パターン情報に基づいて、第２解像度のテストパターンに対応する第１解像度の画像情報である第２パターン情報が生成されて、生成された第２パターン情報に基づいて、第２解像度のテストパターンが形成されるため、簡素な構成で適正なテストパターンを形成することができる。
【手続補正１９】
【補正対象書類名】明細書
【補正対象項目名】００２８
【補正方法】変更
【補正の内容】
【００２８】
上記第４の発明によれば、第１解像度が第２解像度より高い場合には、第１解像度に対応する画素数から第２解像度に対応する画素数を引いた差の個数だけドットが形成されない画素に対応する画像情報を付加することによって、第２パターン情報が生成されるため、簡素な構成で適正なテストパターンを形成することができる。
【手続補正２０】
【補正対象書類名】明細書
【補正対象項目名】００３０
【補正方法】変更
【補正の内容】
【００３０】
上記第５の発明によれば、第２パターン記憶手段に、第２解像度のテストパターンに対応する該第２解像度の画像情報である第１パターン情報に基づいて生成された、該第２解像度のテストパターンに対応する第１解像度の画像情報である第２パターン情報が予め格納されており、第２パターン記憶手段に格納された第２パターン情報が読み出され、読み出された第２パターン情報に基づいて、第２解像度のテストパターンが形成されるため、第２パターン情報を生成する必要がないので、更に効率的に適正なテストパターンを形成することができる。
【手続補正２１】
【補正対象書類名】明細書
【補正対象項目名】００３１
【補正方法】変更
【補正の内容】
【００３１】
上記第６の発明によれば、第２パターン記憶手段に、予め設定された複数の解像度に含まれる各解像度と対応付けて、第２解像度のテストパターンに対応する各解像度の画像情報が予め格納されており、外部からの操作入力が受け付けられて、受け付けられた操作入力に基づいて、複数の解像度の中から１つの解像度が、第１解像度として設定される。そして、第１解像度として設定された解像度に対応する画像情報が第２パターン記憶手段から読み出され、読み出された画像情報に基づいて、第２解像度のテストパターンが形成されるため、対象画像の解像度（＝第１解像度）として設定された解像度と一致する解像度の画像情報がテストパターンの画像情報として読み出されてテストパターンが形成されるので、更に効率的に適正なテストパターンを形成することができる。
【手続補正２２】
【補正対象書類名】明細書
【補正対象項目名】００３２
【補正方法】変更
【補正の内容】
【００３２】
上記第７の発明によれば、第２パターン記憶手段に、第２解像度のテストパターンに対応する第２解像度の画像情報である第１パターン情報に基づいて生成された、第２解像度のテストパターンに対応する第１解像度の画像情報である第２パターン情報が予め格納されている。そして、第１解像度の対象画像に対応する画像情報と、第２パターン情報とが合成されて１つの画像情報が生成され、生成された画像情報に基づいて、それぞれ、第１解像度の対象画像及び第２解像度のテストパターンが形成されるため、更に効率的に適正なテストパターンを形成することができる。
【手続補正２３】
【補正対象書類名】明細書
【補正対象項目名】００３４
【補正方法】変更
【補正の内容】
【００３４】
上記第８の発明によれば、合成画像記憶手段に、第２解像度のテストパターンに対応する第２解像度の画像情報である第１パターン情報に基づいて生成された、第２解像度のテストパターンに対応する第１解像度の画像情報である第２パターン情報と、第１解像度の対象画像に対応する画像情報と、が合成されて生成された１つの画像情報である合成画像情報が予め格納されている。そして、合成画像記憶手段に格納された画像情報が読み出されて、読み出された画像情報に基づいて、それぞれ、第１解像度の対象画像及び第２解像度のテストパターンが形成されるため、第２パターン情報と第１解像度の対象画像に対応する画像情報とを合成する処理を行う必要が無いので、更に効率的に適正なテストパターンを形成することができる。
【手続補正２４】
【補正対象書類名】明細書
【補正対象項目名】００３５
【補正方法】変更
【補正の内容】
【００３５】
上記第９の発明によれば、テストパターンが、記録ヘッドにおいて副走査方向の配列された複数のドット形成部の内、予め設定された少なくとも１つのドット形成部である特定ドット形成部によって生成されたテストパターンであると判別可能に構成されているため、更に利便性の良好なテストパターンを形成することができる。
【手続補正２５】
【補正対象書類名】明細書
【補正対象項目名】００３７
【補正方法】変更
【補正の内容】
【００３７】
上記第１０の発明によれば、特定ドット形成部が、記録ヘッドにおいて副走査方向の両端に配列されたドット形成部の内、少なくとも一方のドット形成部であるため、例えば、ドットを形成することができないドット形成部（以下、「不良ドット形成部」という）が発生した場合に、更に容易に不良ドット形成部を特定することができるので、更に利便性の良好なテストパターンを形成することができる。
【手続補正２６】
【補正対象書類名】明細書
【補正対象項目名】００３８
【補正方法】変更
【補正の内容】
【００３８】
上記第１１の発明によれば、テストパターンが、主走査方向及び副走査方向を各辺の方向とする略矩形のパターンであって、特定ドット形成部によって生成されるテストパターンが、テストパターンの外縁を構成する矩形の副走査方向の辺から突出させて構成されているため、テストパターンにおける特定ドット形成部の位置を容易に視認することができるので、更に容易に不良ドット形成部を特定することができ、更に利便性の良好なテストパターンを形成することができる。
【手続補正２７】
【補正対象書類名】明細書
【補正対象項目名】００３９
【補正方法】変更
【補正の内容】
【００３９】
上記第１２の発明によれば、記録媒体上の対象画像が形成される領域に対して、主走査方向に予め設定された距離だけ離間した位置に、テストパターンが形成されるため、例えば、対象画像を形成している途中で、ドットを形成することができないドット形成部（以下、「不良ドット形成部」という）が発生した場合であっても、不良ドット形成部を視認することができるので、更に利便性の良好なテストパターンを形成することができる。
【手続補正２８】
【補正対象書類名】明細書
【補正対象項目名】００４０
【補正方法】変更
【補正の内容】
【００４０】
上記第１３の発明によれば、予め設定された第１解像度の対象画像を形成するべく、記録ヘッド、主走査手段及び副走査手段に対して指示が行われ、記録媒体上の前記画像が形成される領域を除く領域に、第１解像度とは相違し予め設定された第２解像度のテストパターンを形成するべく、記録ヘッド、主走査手段及び副走査手段に対して指示が行われるため、適正なテストパターンを形成することができる。また、上記第１３の発明によれば、第２解像度が、主走査方向及び副走査方向の解像度の内、少なくとも一方の解像度が第１解像度より低く設定されているため、対象画像の解像度と比較して、テストパターンの主走査方向及び副走査方向の解像度の内、少なくとも一方の解像度を低く設定することを所望する場合に、適正なテストパターンを形成することができる。
【手続補正２９】
【補正対象書類名】明細書
【補正対象項目名】００６６
【補正方法】変更
【補正の内容】
【００６６】
この画像記録装置１００ではインターレース走査が行われるため、各ドットがどのノズルにより記録されたものであるかを特定することは困難である。例えばドットＤ１に対
応するノズルの特定作業は以下のように行われる。
【手続補正３０】
【補正対象書類名】明細書
【補正対象項目名】００７９
【補正方法】変更
【補正の内容】
【００７９】
画像不良がインクのかすれ（インク濃度の低下）であっても画像不良が生じているドットの特定は容易に行えるし、仮にインク濃度が０であったとしても、テスト画像中Ｐ２に生じる画像の空白部分から画像不良が生じているドットを容易に特定することができる。
【手続補正３１】
【補正対象書類名】明細書
【補正対象項目名】００８５
【補正方法】変更
【補正の内容】
【００８５】
ここで、パターン記憶部４１４に格納される第２パターン情報の生成方法の一例について、図１１及び図１２を用いて説明する。図１１（ａ）は、テストパターンＰ２（矩形パターンＰ２１）の解像度の一例を示す説明図（図６（ｃ）を再掲）である。すなわち、テストパターンＰ２の解像度である第２解像度は、ここでは、主走査方向の解像度が３００ｄｐｉであって、副走査方向の解像度が１５０ｄｐｉである。ここで、第２解像度のテストパターンＰ２の画像情報は、画素情報Ｄ２１によって構成されている。
【手続補正３２】
【補正対象書類名】明細書
【補正対象項目名】００８６
【補正方法】変更
【補正の内容】
【００８６】
図１１（ｂ）は、第１解像度が、主走査方向の解像度が６００ｄｐｉであって、副走査方向の解像度が３００ｄｐｉである場合のテストパターンＰ２（矩形パターンＰ２１）に対応する第１解像度の画像情報Ｐ２１Ａ（＝第２パターン情報）の一例を示す図である。図１１（ｂ）に示すように、テストパターンＰ２（矩形パターンＰ２１）に対応する第１解像度の画像情報Ｐ２１Ａ（＝第２パターン情報）は、図１１（ａ）に示す第２解像度のテストパターンＰ２に図の破線の○印で示すドットが形成されない（＝インクが吐出されない）画素を示す画像情報Ｄ２１Ａを、第１解像度に対応する画素数から第２解像度に対応する画素数を引いた差の個数だけ付加することによって生成される。具体的には、まず、図１１（ａ）に示す副走査方向に配列された画素情報Ｄ２１間にそれぞれ１個の画像情報Ｄ２１Ａを付加し、次に、主走査方向に配列された画素情報Ｄ２１（及び、画像情報Ｄ２１Ａ）間に画像情報Ｄ２１Ａを付加することによって生成される。
【手続補正３３】
【補正対象書類名】明細書
【補正対象項目名】００８８
【補正方法】変更
【補正の内容】
【００８８】
図１２は、パターン記憶部４１４に格納される第２パターン情報の一例を説明する説明図である。図１２（ａ）は、パターン記憶部４１４に格納される第２パターン情報の内容の一例を示す図表である。図１２（ａ）に示す図表は、左側から順に、第１解像度として設定可能な主走査方向の解像度、第１解像度として設定可能な副走査方向の解像度、テストパターンの画像データの参照符号、及び、図番号である。パターン記憶部４１４には、図１２（ａ）に示す図表の解像度情報、及び、図番号に対応する図に記載されている参照符号で示される画像情報が格納されている。例えば、主走査方向の解像度が６００ｄｐｉで、副走査方向の解像度が３００ｄｐｉであるテストパターンの画像情報としては、図１１（ｂ）、（ｃ）に示す画像情報Ｐ２１Ａ、Ｐ２２Ａが格納されている。
【手続補正３４】
【補正対象書類名】明細書
【補正対象項目名】００９４
【補正方法】変更
【補正の内容】
【００９４】
画像合成部４１２（画像合成手段に相当する）は、解像度設定部４１１によって設定された第１解像度の対象画像Ｐ１に対応する画像情報と、第２解像度（ここでは、主走査方向の解像度＝３００ｄｐｉ、副走査方向の解像度＝１５０ｄｐｉ）のテストパターンＰ２に対応すると共に、解像度設定部４１１によって設定された第１解像度（例えば、主走査方向の解像度＝６００ｄｐｉ、副走査方向の解像度＝３００ｄｐｉ）の画像情報である第２パターン情報（図１１（ｂ）、（ｃ）参照）とを合成して１つの画像情報を生成する機能部である。
【手続補正３５】
【補正対象書類名】図面
【補正対象項目名】図８
【補正方法】変更
【補正の内容】
【図８】
2009241481.tif 000001
【手続補正３６】
【補正対象書類名】図面
【補正対象項目名】図１０
【補正方法】変更
【補正の内容】
【図１０】
2009241481.tif 000002
【手続補正３７】
【補正対象書類名】図面
【補正対象項目名】図１２
【補正方法】変更
【補正の内容】
【図１２】
2009241481.tif 000003